(57)【要約】【課題】距離が調節可能なスライド式固定パーツを形成し、異なるレールの幅のアルミ押し出し成型プレートに適用することが可能な調節可能なレールを掛ける装置を提供する。【解決手段】本考案の調節可能なレールを掛ける装置は、本体及び固定パーツからなり、その本体の上端に引っかかり部分があって、アルミ押出成型のプレートを掛けるようになっている。その両側にはねじ穴があって締め付けパーツを取り付けるようになっている。さらに、下端の両側に平行に長い導入溝があって、固定パーツが取り付けられるようになっている。この固定パーツの両側の支え部分には固定槽がある。【選択図】図1
0003110756.tif 000002
【実用新案登録請求の範囲】
【請求項１】
本体と固定パーツからなり、
本体は、その側面の縁が垂直に折れ曲がった留め板になっていて、各留め板にはカーブ状の切り込みが入っていて、本体の上端の留め板には引っかかり部分があって、アルミ押出成型プレートが掛かるようになっていて、さらに、本体の中央には数個の径の異なる取り付け穴が開いていて、本体上端両側にはねじ穴があって締め付けパーツが取り付けられるようになっていて、両側には平行に導入溝が設けられていて、固定パーツが取り付けられるようになっていて、固定パーツは、その表面両側にねじ穴が開いていて、締め付けパーツを組み合わせるようになっていて、さらに、両端が垂直に折れ曲がった支え部分を形成していて、この支え部分にはくぼんだ固定槽があって、アルミ押出成型プレートのレールを受けるようになっていて、締め付けパーツが導入溝に入り込み、ねじ穴によって固定パーツが本体後部に固定されてスライド式の移動が可能な状態で接続するという特長を持つ、調節可能なレールを掛ける装置。
【請求項２】
本体が四角形である、請求項１に記載の調節可能なレールを掛ける装置。
【請求項３】
導入溝が本体の底部から上に向かって平行に中ほどまで伸びている、請求項１に記載の調節可能なレールを掛ける装置。
【考案の詳細な説明】
【技術分野】
【０００１】
本考案は調節可能なレールを掛ける装置に関する。本考案の調節可能なレールを掛ける装置は、移動式の調節可能な固定パーツがあって、各種のアルミ押出成型のプレートのレール幅に適用できるようになっている。さらに、2個の締め付けパーツによって上下から二重に固定するので脱落することがない。また、本考案の調節可能なレールを掛ける装置には径の異なる複数の取り付け穴があるので、様々な用途の接続台座に対応することが可能である。
【背景技術】
【０００２】
一般によく見かけるアルミ金属用具は軽くて成型しやすいという特質がある。このため、市場に出回っているアルミ製の押出成型製晶は、フレーム、ドアや窓のサッシ、ハンガー、アルミ製のレールを掛ける装置10等に応用されている。図6を参照いただきたい。このアルミ押出成型プレート10は、少なくとも一側面にくぼんだレール101があって、物品を掛けて固定するようになっている。
図6を参照いただきたい。従来の掛けて固定する装置は、本体40からなる。
この本体40の上端は延びて折り返しになった引っかかり部分41になっていて、アルミ押出成型プレート10を掛けるようになっている。このタイプは単一用途に使用するため、本体40の中央にはこの用途のための接続台座に使用する取り付け穴(本説明図には示されていない)が開いている。
【考案の開示】
【考案が解決しようとする課題】
【０００３】
しかしながら、上述のレールを掛けて固定する装置の構造は、締め付けパーツで固定するようにはなっていない。したがって、容易に本体40の引っかかり部分41が、アルミ押出成型プレート10の上で左右に動くことになる。また、本体40の高度が決まっていて、レール101の間隔が異なるアルミ押出成型プレート10が適当な高さの装置が見つからないといった不便さが生じる。
【課題を解決するための手段】
【０００４】
本考案の調節可能なレールを掛ける装置は、本体及び固定パーツからなり、その本体の上端に引っかかり部分があって、アルミ押出成型のプレートを掛けるようになっている。その両側にはねじ穴があって締め付けパーツを取り付けるようになっている。さらに、下端の両側に平行に長い導入溝があって、固定パーツが取り付けられるようになっている。この固定パーツの両側の支え部分には固定槽がある。締め付けパーツが導入溝の中で上下にスライドすることと、固定槽と本体上端の引っかかり部分がアルミ押出成型プレートをしっかりと固定することにより、距離が調節可能なスライド式固定パーツを形成し、異なるレールの幅のアルミ押し出し成型プレートに適用することが可能である。
【考案を実施するための最良の形態】
【０００５】
図1から図4を参照いただきたい。本考案の調節可能なレールを掛ける装置は、本体1と固定パーツ2からなる。この本体1は四角形をしていて、側面の縁は垂直に折れ曲がった留め板11になっている。各留め板11にはカーブ状の切り込み12が入っている。この本体1の上端の留め板11には引っかかり部分111があって、アルミ押出成型プレート10が掛かるようになっている。
【０００６】
さらに、本体1の中央には数個の径の異なる取り付け穴13,14が開いている。また、本体1上端両側にはねじ穴15があって締め付けパーツ16が取り付けられるようになっている。そして、両側には平行に導入溝17が設けられていて、固定パーツ2が取り付けられるようになっている。この導入溝17は本体1の底部から上に向かって同じ長さで中ほどまで伸びていて、この締め付けパーツ16はワッシャー18を組み合わせて使用する。これは、締め付けパーツ16とアルミ押出成型プレート10との間の接触面及び摩擦力を大きくして、本体1がより強固にアルミ押出プレートに固定されるようにするためである。また、締め付けパーツ16が直接アルミ押し出し成型プレート10に接触して傷つけるのを防ぐ目的もある。
【０００７】
固定パーツ2は棒状で、表面両側にねじ穴21が開いていて、締め付けパーツ16'を組み合わせるようになっている。さらに、両端が垂直に折れ曲がった支え部分22を形成していて、この支え部分22にはくぼんだ固定槽23があって、アルミ押出成型プレート10のレール101を受けるようになっている。その固定パーツ2は、締め付けパーツ16'が導入溝17に入り込み、ねじ穴21によって固定パーツ2が本体1後部に固定されてスライド式の移動が可能な状態で接続する。図4を参照いただきたい。この固定パーツ2は締め付けパーツ16'が導入溝17の中をスライド移動することで、本体1上端の留め板11と共に、距離を調整できるスライド式の固定パーツ16を形成する。
したがって、異なる幅のレールを持つアルミ押出成型プレート10にも適用する。
【０００８】
図4、図5を参照いただきたい。本考案の実施例である。締め付けパーツ16'が緩められると、この固定パーツ2は導入溝17の中をスライド移動することが可能である。本体1上端の引っかかり部分11と共に、距離の調整が可能な固定パーツ2を形成することで、異なるレール101幅のアルミ押出成型プレート10に適用することが可能である。
【０００９】
さらに、この本体1は上述の締め付けパーツ16がアルミ押出成型プレート10に固定されることで、本体1は左右に移動しにくくなり、安定性が増す。
そして、もう一つの締め付けパーツ16'は固定パーツ2を調節してレール101の距離に対応する外に、アルミ押出成型プレート10を支えて、本体1にしっかり貼り付ける。固定パーツ2の固定溝23もまた外的な力を受けて本体1が落下するのを防ぐ。
【００１０】
図5を参照いただきたい。本考案のもう一つの実施例である。本体1がアルミ押出成型プレート10に取り付けられると、本体1の中央にある数個の径の異なる取り付け穴13,14(取り付け穴13は図5には示されていない)が、各種異なる接続台座20の支柱30に対応して、異なる物品を掛けることを可能にする。
【図面の簡単な説明】
【００１１】
【図１】本考案の調節可能なレールを掛ける装置の立体外観図である。
【図２】本考案の調節可能なレールを掛ける装置を後ろから見た図である。
【図３】本考案の調節可能なレールを掛ける装置の構造を示した立体分解図である。
【図４】本考案の調節可能なレールを掛ける装置の使用時の状態を示した断面図である。
【図５】本考案の調節可能なレールを掛ける装置を使用し、アルミ押出成型のプレートを掛けた様子を示した実施例の立体図である。
【図６】従来のレールを掛ける装置の断面図である。
【符号の説明】
【００１２】
10  アルミ押出成型プレート
101  レール
20  フックユニット
30  支柱
40  本体
41  折り返しになった引っかかり部分
1  本体
11  留め板
111  折り返しになった引っかかり部分
12  切り込み
13  取り付け穴
14  取り付け穴
15  ねじ穴
16  締め付けパーツ
16'  締め付けパーツ
17  導入溝
18  ワッシャー
2  固定パーツ
21  ねじ穴
22  支え部分
23  固定槽
【図１】
0003110756.tif 000003
【図２】
0003110756.tif 000004
【図３】
0003110756.tif 000005
【図４】
0003110756.tif 000006
【図５】
0003110756.tif 000007
【図６】
0003110756.tif 000008